【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
生ゴミ処理機のための粉砕機構であって、
粉砕リングを通る複数の窓開口部を有する粉砕リングと、
粉砕リングがその中で受けられる裏当て部材とを備え、裏当て部材がその中に窓開口部に対応する複数の空洞を有する、生ゴミ処理機のための粉砕機構。
【請求項２】
粉砕リングがその中に複数の切欠きを含む、請求項１に記載の粉砕機構。
【請求項３】
切欠きと窓が粉砕機構の外周に交互に配置される、請求項２に記載の粉砕機構。
【請求項４】
粉砕リングが半径方向内向きに延びる複数の破壊部材をさらに含む、請求項１に記載の粉砕機構。
【請求項５】
裏当て部材がプラスチックからなる、請求項１に記載の粉砕機構。
【請求項６】
粉砕リングに対して回転するように配置された回転可能な破砕板をさらに含む、請求項１に記載の粉砕機構。
【請求項７】
破砕板に取り付けられたラグをさらに含む、請求項６に記載の粉砕機構。
【請求項８】
破砕板が互いに積み重ねられた複数の円板を含む、請求項６に記載の粉砕機構。
【請求項９】
円板の少なくとも１つが、その外周の周りに、複数の半径方向外向きに延びる歯を有する、請求項８に記載の粉砕機構。
【請求項１０】
破砕板が支持部材を含む、請求項８に記載の粉砕機構。
【請求項１１】
支持部材が円板内の開口を通って延びるラグを含む、請求項１０に記載の粉砕機構。
【請求項１２】
円板が様々な半径を有する、請求項８に記載の粉砕機構。
【請求項１３】
円板が様々な厚さを有する、請求項８に記載の粉砕機構。
【請求項１４】
円板が上側円板および下側円板を含み、下側円板が歯を含み、かつ歯が、下側円板の本体がその中にある平面とは異なる平面内に、下側円板の外周から半径方向外向きに延びている、請求項９に記載の粉砕機構。
【請求項１５】
生ゴミ処理機のための粉砕機構であって、
回転自在な破砕板アセンブリを形成するために互いに積み重ねられた複数の円板であって、円板の少なくとも１つがその外周の周りに、複数の半径方向外向きに延びる歯を有する円板と、
回転自在な破砕板アセンブリとともに回転するように複数の円板の少なくとも１つの取り付けられた支持部材とを備える、生ゴミ処理機のための粉砕機構。
【請求項１６】
支持部材が円板内の開口を通って延びるラグを含む、請求項１５に記載の粉砕機構。
【請求項１７】
円板が様々な半径を有する、請求項１５に記載の粉砕機構。
【請求項１８】
円板が様々な厚さを有する、請求項１５に記載の粉砕機構。
【請求項１９】
円板が上側円板および下側円板を含み、下側円板が歯を含み、かつ歯が、下側円板の本体がその中にある平面とは異なる平面内に、下側円板の外周から半径方向外向きに延びている、請求項１５に記載の粉砕機構。
【請求項２０】
粉砕リングを通る複数の窓開口部を備える粉砕リングをさらに備え、
粉砕リングが、粉砕リングの窓開口部に対応する複数の空洞をその中に有する裏当て部材内で受けられている、請求項１５に記載の粉砕機構。
【請求項２１】
粉砕リングがその中に複数の切欠きを含む、請求項２０に記載の粉砕機構。
【請求項２２】
切欠きと窓開口部が粉砕リングの外周に交互に配置される、請求項２１に記載の粉砕機構。
【請求項２３】
粉砕リングが複数の内向きに延びる破壊部材を含む、請求項２０に記載の粉砕機構。
【請求項２４】
裏当て部材がプラスチック裏当て部材である、請求項２０に記載の粉砕機構。
【請求項２５】
粉砕リングを含み、複数の円板が上側円板および下側円板を含み、下側円板が、アンダーカッタを提供するために、上側円板の外周の上方におよび粉砕リングの下方に半径方向外向きに延びる歯を含む、請求項１５に記載の粉砕機構。
【請求項２６】
破砕板アセンブリの上部表面に取り付けられた１つまたは複数の旋回ラグを含む、請求項１５に記載の粉砕機構。
【請求項２７】
歯を有する円板の複数の歯の少なくとも１つが、歯を有するその円板の本体がその中にある平面とは異なる平面上にあるように曲げられる、請求項１５に記載の粉砕機構。
【請求項２８】
生ゴミ処理機システムであって、
静止した粉砕リングおよび回転自在な破砕板アセンブリを備える粉砕機構と、
回転自在な破砕板アセンブリを駆動するモータとを備え、
回転自在な破砕板アセンブリが、互いに積み重ねられた上側円板および下側円板を少なくとも備え、支持部材が、下側円板の下方におよび底部に隣接して配置され、かつ上側および下側円板の少なくとも１つに取り付けられており、
下側円板が、アンダーカッタを提供するために、上側円板の外周の上方に、および粉砕リングの下方に延びる複数の半径方向外向きに延びる歯をその外周の周りに有する、生ゴミ処理機システム。
【請求項２９】
支持部材が円板内の開口を通って延びるラグを含む、請求項２８に記載の生ゴミ処理機。
【請求項３０】
下側円板の歯の少なくともいくつかが、下側円板の本体がその中にある平面の下方の平面内に外向きに延びている、請求項２８に記載の生ゴミ処理機。
【請求項３１】
破砕板アセンブリの上部表面に取り付けられた１つまたは複数の旋回ラグを含む、請求項２８に記載の生ゴミ処理機。
【請求項３２】
粉砕リングがその中で受けられる裏当て部材を含み、粉砕リングが粉砕リングを通る複数の窓開口部を有し、かつ裏当て部材が、その中に粉砕リングの窓開口部に対応する複数の空洞を有する、請求項２８に記載の生ゴミ処理機。
【請求項３３】
粉砕リングが粉砕リングの中に複数の切欠きを含み、切欠きおよび窓開口部が粉砕リングの外周の周りに交互に配置される、請求項３２に記載の生ゴミ処理機。
【請求項３４】
粉砕リングが内向きに延びる複数の破壊部材を含む、請求項３２に記載の生ゴミ処理機。
【請求項３５】
裏当て部材がプラスチック製の裏当て部材である、請求項３２に記載の生ゴミ処理機。
【請求項３６】
静止した粉砕リングおよび回転自在な破砕板アセンブリを含む粉砕機構であって、
粉砕リングが、粉砕リングを通る複数の窓開口部を有し、
粉砕機構が、粉砕リングがその中で受けられる裏当て部材を含み、裏当て部材が窓開口部に対応するその中の複数の空洞を有する粉砕機構と、
回転自在な破砕板アセンブリを駆動するためのモータとを備える、生ゴミ処理機システム。
【請求項３７】
粉砕リングが粉砕リングの中に複数の切欠きを含む、請求項３６に記載の生ゴミ処理機。
【請求項３８】
切欠きと窓が粉砕リングの外周に交互に配置される、請求項３７に記載の生ゴミ処理機。
【請求項３９】
粉砕リングが半径方向内向きに延びる複数の破壊部材をさらに含む、請求項３６に記載の生ゴミ処理機。
【請求項４０】
裏当て部材がプラスチックからなる、請求項３６に記載の生ゴミ処理機。
【請求項４１】
粉砕リングに対して回転するように配置された回転可能な破砕板をさらに含む、請求項３６に記載の生ゴミ処理機。
【請求項４２】
破砕板に取り付けられたラグをさらに含む、請求項４１に記載の生ゴミ処理機。
【請求項４３】
破砕板が互いに積み重ねられた複数の円板を含む、請求項４１に記載の生ゴミ処理機。
【請求項４４】
円板の少なくとも１つが、その外周の周りに、複数の半径方向外向きに延びる歯を有する、請求項４３に記載の生ゴミ処理機。
【請求項４５】
破砕板が支持部材を含む、請求項４３に記載の生ゴミ処理機。
【請求項４６】
支持部材が円板内の開口を通って延びるラグを含む、請求項４５に記載の生ゴミ処理機。
【請求項４７】
円板が様々な半径を有する、請求項４３に記載の生ゴミ処理機。
【請求項４８】
円板が様々な厚さを有する、請求項４３に記載の生ゴミ処理機。
【請求項４９】
円板が上側円板および下側円板を含み、下側円板が歯を含み、かつ歯が、下側円板の本体がその中にある平面とは異なる平面内に、下側円板の外周から半径方向外向きに延びている、請求項４４に記載の生ゴミ処理機。
【手続補正２】
【補正対象書類名】明細書
【補正対象項目名】０００３
【補正方法】変更
【補正の内容】
【０００３】
粉砕を行う粉砕機構は、通常、ラグを有する回転破砕板および固定粉砕リングからなる。モータは回転破砕板を回転させ、ラグが生ゴミを粉砕リングに押し付け、そこで生ゴミが小片に粉砕される。粒子は、粉砕機構を通過するように十分小さくなされた後、家庭の配管内に流される。
【手続補正３】
【補正対象書類名】明細書
【補正対象項目名】００１３
【補正方法】変更
【補正の内容】
【００１３】
図２は、本発明の態様を表す例示の生ゴミ処理機の一部を示す。生ゴミ処理機１００は、食物搬送部分１０２、および食物搬送部分１０２とモータ部分（図示せず）の間に配置された粉砕機構１１０を備える。食物搬送部分１０２は、生ゴミおよび水を受けるための入口を形成するハウジングを備える。食物搬送部分１０２は、生ゴミを粉砕機構１１０に搬送し、モータ部分は回転運動をモータ軸１１８に伝達して粉砕機構１１０を作動させるモータを備える。
【手続補正４】
【補正対象書類名】明細書
【補正対象項目名】００１６
【補正方法】変更
【補正の内容】
【００１６】
円板１２１、１２２を打ち抜き加工で作成することができる。抜打ち加工は比較的低コストであり、生ゴミを切断するための鋭いかど、角度、およびレベルを提供する。下部円板１２２は、円板１２２の外周に生ゴミを切り刻むための歯１２４を画定する。さらに、図３〜７で示した実施形態では、下部円板１２２は上部円板１２１よりも大きい半径を画定して、歯１２４が上部円板１２１の外周を越えて延びるようになされている。図８は積み重ねた円板１２１、１２２の部分側面図であり、下部円板１２２の歯１２４が上部円板１２１を越えて延びているところを示している。図９は図２で示した処理機の部分拡大図であり、この「アンダーカッティング」構成を示し、下部円板１２２の歯１２４が粉砕リング１１６の一部の下に延びている。
【手続補正５】
【補正対象書類名】明細書
【補正対象項目名】００１８
【補正方法】変更
【補正の内容】
【００１８】
図１２は、粉砕機構１１０の一部を部分断面図で概念的に示す。裏当て部材１４０は、粉砕リング１１６を通る開口１３０、１３２に対応する裏当て部材１４０を通る空洞１４２を画定し、それによって、開口１３０、１３２の後ろにトンネル様通路１４４が作成される。したがって、生ゴミを開口１３０、１３２の縁部に対して破砕し、または縁部上で粉砕することができる。粒子が開口１３０、１３２を完全に通過するように十分小さくなった後、生ゴミは粉砕リング１１６の後ろの通路１４４に入り、そこから水流によって排出部に搬送される。裏当て部材１４０の内面幾何形状によって、開口１３０および歯開口部１３２の後ろに通路１４４が形成され、金属リング１１６の回転が支持され、方向付けられ、制限される。リング１１６の回転を方向付けかつ制限するため、裏当て部材１４０はキーを画定し、キーはリング１１６内に画定されたキー溝１５１によって受けられる。
【手続補正６】
【補正対象書類名】明細書
【補正対象項目名】００２０
【補正方法】変更
【補正の内容】
【００２０】
図１０で示した実施形態では、開口１３２を形成する歯１３４は下方面１３５を有し、下方面１３５は歯１３４の表面に対して全般的に垂直であり、回転粉砕板１１２の平面に対して平行である。こうした下方面１３５の縁部は追加の切断面を作成し、切断面は回転粉砕板１１２と共に食物粒子に対して追加のせん断または切断作用を行う。これは、繊維状物質の大きさをさらに縮小するのに特に有利である。